(57)【要約】【課題】  ケーブルの延線中に延線用ロープとケーブルとが絡みつき難いようにすると共に、仮に絡みついた場合でも取り外し易いロープ接続具およびケーブル延線方法並びにケーブル接続具の提供。【解決手段】  軸線方向に第１部材１と第２部材２とを配置し、両者を軸線の回りに回転自在に枢着して金具本体３を構成する。そして、金具本体３の両端に一対のロープグリップ４を設ける。【選択図】        図２
2006042550.tif 000002
【特許請求の範囲】
【請求項１】
軸線方向に配置された第１部材(1) と第２部材(2) とが、互いに軸線の回りに回転自在に枢着された金具本体(3) と、
その金具本体(3) の両端に、夫々の軸線方向の外側へ開口部(4a)が向けられて取付られ、弾性を有して軸線方向に伸縮し、その伸縮に伴い内径を縮小、拡大する筒状金網からなる一対のロープグリップ(4) と、を有するケーブル延線用のロープ接続具。
【請求項２】
複数の前記ロープ接続具を用い、複数のロープ(5) の両端を着脱自在に順次直列に接続してエンドレスのループ状の牽引体(6) を構成すると共に、そのループ中に延線機(7) を配置し、牽引体(6) にケーブル(8) の一端を着脱自在に係止して、そのケーブル(8) を敷設路に案内するケーブル延線方法。
【請求項３】
請求項２のケーブル延線方法に用いるケーブル接続具であって、
一方の端部にフック部(9) を有する端部金具(10)と、その端部金具(10)の他端に、その軸線の回りに回転自在に取付られた撚り戻し部(11)と、
その撚り戻し部(11)に取付られるケーブル把持部(12a) と、を有し、
張設された牽引体(6) のロープ(5) に、牽引方向下流側を前記フック部(9) に位置して、そのフック部(9) にロープ(5) がＳ字状に着脱自在に係止されて牽引されるケーブル接続具。
【請求項４】
請求項３において、
前記ケーブル把持部(12a) は、弾性により軸線方向に伸縮して、その伸縮に伴い内径を縮小、拡大する筒状金網からなるケーブルグリップ(12)よりなるケーブル接続具。
【請求項５】
請求項３において、
前記ケーブル把持部(12a) は、可撓性の紐状体(34)からなり、その紐状体(34)がケーブル(8) の中間部に係脱自在に止着されるケーブル接続具。
【請求項６】
請求項５に記載のケーブル接続具を用いたケーブル延線方法において、
ケーブル(8) の中間部を前記紐状体(34)に着脱自在に止着し、
張設した牽引体(6) のロープ(5) に、牽引方向下流側を前記フック部(9) に位置して、そのフック部(9) をロープ(5) に着脱自在に係止して、ケーブルを牽引するケーブル延線方法。
【発明の詳細な説明】
【技術分野】
【０００１】
本発明は、ケーブルトレイやケーブルラダーにケーブルを敷設する際に用いるケーブル延線用のロープ接続具およびケーブル延線方法並びにケーブル接続具に関し、特にケーブル延線中にケーブルとロープとが絡みついても、容易にそれを外すことができるものに関する。
【背景技術】
【０００２】
従来、ケーブル延線装置によってケーブルを延線するには、次のようにして行っていた。
ケーブルトレイ又はケーブルラダーのサイド材に、適宜間隔で多数のケーブルガイドローラを配置し、そのケーブルガイドローラに延線用ロープを案内して、全体をエンドレスのループ状に懸回し、そのループ内に駆動モータを有する延線機を配置する。そしてケーブルの先端をグリップしたケーブル接続具と、ケーブル延線用ロープとを接続し、ロープを延線機によって巡回駆動することにより、ケーブルをケーブルトレイに引き込んでいた。
【０００３】
このようなケーブル延線装置において、ケーブル延線用のロープとケーブルとが延線中に絡みつくことを防止するため、下記特許文献１が知られていた。
これは延線用のロープにケーブルを接続して延線する装置において、その接続部に撚り戻し具を設けたことを特徴とする。
同様の構造が、特許文献２，その他にも記載されている。
【０００４】
【特許文献１】実開平６−５３１６号公報
【特許文献２】特開平４−９１６０７号公報
【特許文献３】特許第２９３３５８７号公報
【特許文献４】実開昭６２−１１３１１号公報
【発明の開示】
【発明が解決しようとする課題】
【０００５】
上記のケーブル延線装置に用いられる撚り戻し具は、延線用のロープ又はそれとケーブルとの接続部に軸支部を設けるものであり、それによって延線中にロープとケーブルとが絡み合わないようにしたものである。しかしながら、実験によればそのような撚り戻し具を設けても、尚且つ、延線用ロープとケーブルとが絡み合うことがしばしば起きた。その場合、延線用ロープを全長に渡って取り外し、ケーブルとの絡みを一つずつ取り除く必要があり、極めてその作業が面倒であった。
【０００６】
また、従来のケーブル延線方法は、ケーブル延線用ロープの最先端までケーブルの先端部を移動することができるが、それから先は人力で延線して、その敷設路の下流側に存在する各種機器にケーブルの先端を接続していた。
そこで本発明は、これらの問題点を取り除き、ロープとケーブルとが絡み合った場合、迅速にその絡み合いを取り除くことができるロープ接続具，ケーブル接続具，ケーブル延線方法を提供することを課題とする。
【課題を解決するための手段】
【０００７】
請求項１に記載の本発明は、軸線方向に配置された第１部材(1) と第２部材(2) とが、互いに軸線の回りに回転自在に枢着された金具本体(3) と、
その金具本体(3) の両端に、夫々の軸線方向の外側に開口部(4a)が向けられて取付られ、弾性を有して軸線方向に伸縮し、その伸縮に伴い内径を縮小、拡大する筒状金網からなる一対のロープグリップ(4) と、を有するケーブル延線用のロープ接続具である。
【０００８】
請求項２に記載の本発明は、複数の前記ロープ接続具を用い、複数のロープ(5) の両端を着脱自在に順次直列に接続してエンドレスのループ状の牽引体(6) を構成すると共に、そのループ中に延線機(7) を配置し、牽引体(6) にケーブル(8) の一端を着脱自在に係止して、そのケーブル(8) を敷設路に案内するケーブル延線方法である。
【０００９】
請求項３に記載の本発明は、請求項２のケーブル延線方法に用いるケーブル接続具であって、
一方の端部にフック部(9) を有する端部金具(10)と、その端部金具(10)の他端に、その軸線の回りに回転自在に取付られた撚り戻し部(11)と、
その撚り戻し部(11)に取付られるケーブル把持部(12a) と、を有し、
張設された牽引体(6) のロープ(5) に、牽引方向下流側を前記フック部(9) に位置して、そのフック部(9) にロープ(5) がＳ字状に着脱自在に係止されて牽引されるケーブル接続具である。
【００１０】
請求項４に記載の発明は、請求項３において、
前記ケーブル把持部(12a) は、弾性により軸線方向に伸縮して、その伸縮に伴い内径を縮小、拡大する筒状金網からなるケーブルグリップ(12)よりなるケーブル接続具である。  請求項５に記載の発明は、請求項３において、
前記ケーブル把持部(12a) は、可撓性の紐状体(34)からなり、その紐状体(34)がケーブル(8) の中間部に係脱自在に止着されるケーブル接続具である。
【００１１】
請求項６に記載の発明は、請求項５に記載のケーブル接続具を用いたケーブル延線方法において、
ケーブル(8) の中間部を前記紐状体(34)に着脱自在に止着し、
張設した牽引体(6) のロープ(5) に、牽引方向下流側を前記フック部(9) に位置して、そのフック部(9) をロープ(5) に着脱自在に係止して、ケーブルを牽引するケーブル延線方法である。
【発明の効果】
【００１２】
本発明のケーブル延線用のロープ接続具は、その金具本体３の第１部材１と第２部材２とが互いに軸線の回りに回転自在に枢着され且つ、金具本体３の両端に一対のロープグリップ４が設けられているから、複数のロープどうしを容易に着脱できると共に、一方側のロープの捩れを他方側に伝えることはない。そのため、延線用のロープとケーブルとが捩じれて絡むことを防止できる。
また仮に、ケーブルとロープが絡み合っても、そのロープ接続具を容易に取り外すことができるため、その取り外しによりケーブルとロープとの絡み付きを迅速に取り除くことができる。
【００１３】
本発明のケーブル延線方法は、複数のロープ５の両端を複数のロープ接続具で順次直列に接続してエンドレスのループ状の牽引体６を構成し、その牽引体６にケーブル８の一端を着脱自在に係止して、そのケーブル８を敷設路に案内するものであるから、ケーブル８がロープ５に絡みついても、複数存在するロープ接続具のうち、絡みつき近傍位置のそれを取り外すことにより、容易にケーブルをロープから引き離すことができる。それにより、迅速にケーブルの延線を行い得る。
【００１４】
上記ケーブル延線方法に用いられるケーブル接続具は、その一方の端部にフック部９を有する端部金具10と、端部金具10の他端に回動自在に取付けられた撚り戻し部11とを有し、フック部９にロープ５がＳ字状に着脱自在に係止されるものであるから、ロープ５からケーブル８を容易に取り外すことができると共に、ケーブル８の先端をロープ５に容易に取り付けることが可能となる。そのため、ケーブル延線作業を迅速に行い得る。
【００１５】
上記ケーブル接続具において、前記ケーブル把持部12a を、弾性により軸線方向に伸縮して、その伸縮に伴い内径を縮小、拡大する筒状金網からなるケーブルグリップ12により構成した場合には、そのケーブルグリップ12にケーブル８端を容易に着脱自在に係止することができる。
上記構成において、
前記ケーブル把持部12a を、可撓性の紐状体34から構成し、その紐状体34をケーブル８の中間部に係脱自在に止着するようにしたものは、延線ロープの到達距離以上にケーブルを延線することができる。
即ち、ケーブルの中間位置を締結把持し、それを延線すれば、そのケーブルの先端部分をより遠くまで延長できる。そのため、使い勝手の良いケーブル接続具となり得る。
【００１６】
上記ケーブル接続具を用い、ケーブルの中間部をその紐状体34に係止するように構成したケーブル延線方法は、ケーブル延線装置を用いてロープの循環路の延長上にケーブルを引き出すことができる。即ち、ケーブルの先端部が延線ロープの先端に達したとき、一旦、ケーブルの先端と延線ロープとの掛合を外し、ケーブルの中間部においてそのケーブル接続具によって両者間を連結することにより、ケーブルの先端部をロープ循環路の前方に導くことができる。それにより、人力を殆ど使わずに、ケーブルの余長分を延線し、それを制御盤等に容易に導くことができる。
【発明を実施するための最良の形態】
【００１７】
次に、図面に基づいて本発明の実施の形態につき説明する。
図１は本発明のロープ接続具およびケーブル接続具を用いた延線方法の平面的説明図であり、図２は図１の III部拡大図、図３は図１のII部拡大図である。また、図４はこれをケーブルトレイに応用した斜視略図であり、図５はそのガイドローラの説明図である。
このケーブル延線方法の例は、先ず、図４の如くケーブルトレイ16のサイド材17に定間隔に多数のガイドローラ13が着脱自在に固定される。
【００１８】
このようなガイドローラ13は、一例として図５に示す如く形成されている。そしてそれらのガイドローラ13に、図１に示す如く、複数のロープ５からなる牽引体６が挿通され、それが滑車18および延線機７を介してエンドレスのループ状に懸回される。複数のロープ５は、本発明のロープ接続具20を介して直列に連結される。
このロープ接続具20は、図２に示す如く形成されている。即ち、短い棒状の第１部材１と第２部材２とが軸線方向に直列に軸25を介して、その軸線の回りに回動自在に連結されている。この第１部材１および第２部材２は夫々端部が二股状に形成され、そこにピン33を介してＵ字状の比較的短いワイヤ23が止着され、そのワイヤ23の両端とロープグリップ４の一端とが締結具24を介して連結固定されている。ロープグリップ４はその一端に開口部４ａを有する筒状の金網体からなり、弾性を有して軸線方向に伸縮し、その伸縮に伴い筒状の内径が縮小および拡大するものである。
【００１９】
このようにしてなるロープ接続具20の両端の各ロープグリップ４は、夫々適宜長さの（一例として２０ｍ程）ロープ５の端部を把持する。このときロープグリップ４は、その弾性に抗して軸方向に縮小させてその直径を拡大させた後に、その開口部４ａからロープ５の先端部を挿入して、ロープグリップ４を自由状態に戻す。すると弾性によりロープグリップ４が伸張し、ロープ５の外周を把持する。
このようにして図１および図４に示すようにエンドレスのループ状に形成された複数のロープ５からなる牽引体６は、そのループの一部に延線機７が配置される。延線機７は図示しないモータを有し、ロープ５を一方向に周回駆動させる。なお、牽引体６の一端部には滑車18が配置されている。
【００２０】
このようにしてなる牽引体６の適宜位置に、本発明のケーブル接続具21を介して図１および図３の如くケーブル８が連結される。
このケーブル接続具21は、図３に示す如く、前部材10ａと中間部材10ｂとがピン33を介して軸線に対して傾斜する方向に回動自在に枢着されて端部金具10を構成する。前部材10ａはこの例では平板状に形成され、その先端にフック部９が設けられると共に、中間部に一対のガイド28が突設され、ガイドローラとの干渉を避けている。中間部材10ｂはその先端部にＵ字状の欠切部を有し、そこに前部材10ａの後端部が嵌着すると共に、ピン33により前記の如く両者が軸支されている。中間部材10ｂの後端には、軸25，ベアリング26，止め輪27を介して撚り戻し部11が軸線の回りに回動自在に固定されている。撚り戻し部11の後端には、ピン33，取付環30，ワイヤ23，締結具24を介しケーブルグリップ12が設けられている。このケーブルグリップ12は、弾性により軸線方向に伸縮してその伸縮に伴い内径を縮小拡大する公知の筒状金網からなる。
【００２１】
このケーブル接続具21をロープ５に係止するには、そのフック部９の欠切部29をロープ５に嵌着する。それと共に、ケーブルグリップ12によりケーブル８の先端部を把持する。このような状態で延線機を駆動し、ロープ５を走行させると、ケーブル８の抗力によりロープ５のフック部９部分はＳ字状に変形し、その係止状態を保持しつつケーブル８を牽引する。このときケーブル接続具21に加わるケーブル荷重の作用点が、ケーブル接続具21の後端にあり、支点がそのフック部９にあるテコの作用をし、両者の係合を確実なものとする。なお、好ましくは、図３の鎖線の如くフック部９とロープ５の接続部に締結バンド35を巻き付ける。それによりガイドローラ13の通過時に、それとの衝突音が生じるのを避けられる。
【００２２】
次に、ケーブル接続具21の先端をロープ５から取り外すには、ロープ５の牽引を停止し、ケーブル８を牽引方向に、少し引っ張ってケーブル接続具21にケーブル８の抗力が加わらないようにする。そして図３において、ケーブル接続具21のフック部９がロープ５に直交するように位置させ、その欠切部29からロープ５を外す。
【００２３】
次に、図６に示す紐状体34を図３のケーブルグリップ12の代わりに取り付ける。そしてその紐状体34の後端部とケーブル８の中間部とを接触して並列し、それらの外周に複数の締結バンド36を巻き付ける。そして再びロープ５を走行させることにより、ケーブル８はその中間部が把持されて移動する。このとき、ケーブル８の先端部は作業者が軽く保持して移動するのみで、図１において滑車18の前方にそれを引き出すことができる。次いで、複数の締結バンド36を夫々外し、図５においてガイドローラ13の一つのローラ14を実線の状態から鎖線の方向へ回動させ、ケーブル８をガイドローラ13からケーブルトレイ16側に移動すればよい。そのケーブル８の先端は、制御盤や各種機器に接続される。
【００２４】
次に、延線中にケーブル８とロープ５とが絡みついた場合の取り外し方法について述べる。図１中で、絡みつきの生じた部分において、ロープ接続具20の一方側のロープグリップ４を取り外す。そのロープグリップ４を取り外すには、それを軸線方向に圧縮するように移動し、その直径を拡大してロープ５の先端とロープグリップ４とを分離すればよい。適宜位置のロープ接続具20を複数取り外すと共に、ケーブル接続具21の先端部をロープ５から分離させる。ついで、夫々のロープ５をケーブル８から分離すればよい。
【図面の簡単な説明】
【００２５】
【図１】本発明のロープ接続具およびケーブル接続具を用いてケーブルの延線を行う模式的平面図。
【図２】図１の III部拡大図。
【図３】図１のII部拡大図。
【００２６】
【図４】ケーブルトレイ16上でのケーブル延線を示す斜視略図。
【図５】ケーブルトレイ16に取付けられるガイドローラ13の一例を示す説明図。
【図６】ケーブル８の中間部を保持して牽引する場合の説明図。
【符号の説明】
【００２７】
１  第１部材
２  第２部材
３  金具本体
４  ロープグリップ
４ａ  開口部
５  ロープ
６  牽引体
７  延線機
８  ケーブル
９  フック部
10  端部金具
10ａ  前部材
10ｂ  中間部材
【００２８】
11  撚り戻し部
12  ケーブルグリップ
12ａ  ケーブル把持部
13  ガイドローラ
14  ローラ
15  係止金具
16  ケーブルトレイ
17  サイド材
18  滑車
19  レバー
20  ロープ接続具
【００２９】
21  ケーブル接続具
22  ケーブルドラム
23  ワイヤ
24  締結具
25  軸
26  ベアリング
27  止め輪
28  ガイド
29  欠切部
30  取付環
33  ピン
34  紐状体
35  締結バンド
36  締結バンド
【図１】
2006042550.tif 000003
【図２】
2006042550.tif 000004
【図３】
2006042550.tif 000005
【図４】
2006042550.tif 000006
【図５】
2006042550.tif 000007
【図６】
2006042550.tif 000008